(57)【要約】【課題】泥水や雨水、ダスト等の異物に対する密封性能を更に向上させる。【解決手段】外周側部材201と環状の内周側部材205との間の空間Sを密封する密封装置1であって、外周側部材201に取り付けられる本体10と、本体10の外側で内周側部材205に取り付けられる環状のデフレクタ40とを備え、本体10は、軸線Xを中心とする環状の補強環30と、弾性体から形成された環状の弾性体部20とを備え、デフレクタ40は、軸線Xから離れる外周側へ拡がっている環状のフランジ部40bを備え、弾性体部20は、内周側部材205に当接する環状のシールリップ113と、フランジ部40bの内周面と当接するように外側に向かって延びている環状のサイドリップ115とを有しており、補強環30は、外周部材201の開口部202に嵌合可能に形成された円筒部33と、円筒部33の外側端部から外周側へ広がり、外周側部材201を超えて外周側へ突出した円環状の堰部34とを備える。【選択図】図２
2018028326.tif 000002
【特許請求の範囲】
【請求項１】
軸線について互いに相対回動可能な外周側部材と当該外周側部材に少なくとも部分的に包囲される環状の内周側部材との間において、前記外周側部材の開口部と前記内周側部材との間の空間を密封する密封装置であって、
前記外周側部材に取り付けられる密封装置本体と、
前記密封装置本体よりも外側において前記内周側部材に取り付けられる環状のデフレクタとを備え、
前記密封装置本体は、前記軸線を中心とする環状の補強環と、当該補強環に取り付けられている、弾性体から形成された前記軸線を中心とする環状の弾性体部とを備え、
前記デフレクタは、前記軸線から離れる外周側へ拡がっている環状のデフレクタフランジ部を備え、
前記弾性体部は、前記内周側部材に当接する環状のシールリップと、前記デフレクタフランジ部の内周側面と当接するように外側に向かって延びている環状のサイドリップとを有しており、
前記補強環は、前記外周側部材の前記開口部に嵌合可能に形成された前記軸線を中心とする円筒状の円筒部と、当該円筒部の外側端部から前記外周側へ向かって広がり、前記外周側部材の外周面を超えて前記外周側へ突出した円環状の堰部と
を備えることを特徴とする密封装置。
【請求項２】
前記堰部は、前記外周側部材との間に外側に凹む環状の溝部を形成することを特徴とする請求項１記載の密封装置。
【請求項３】
前記堰部の外周側端部には、前記外周側部材の前記外周面を部分的に覆う円筒状の円筒部を備え、当該円筒部と前記外周面との間に前記溝部が形成されることを特徴とする請求項２記載の密封装置。
【請求項４】
前記堰部の外周側端部には、当該外周側端部から外側に向かって延びる庇部を備え、当該庇部が前記デフレクタフランジ部を外周側から覆うことを特徴とする請求項１記載の密封装置。
【請求項５】
前記外周側部材の前記外周面を部分的に覆うように前記堰部の外周側端部に形成された円筒状の円筒部と、当該円筒部の内側の端部から外周側に向かって広がる円環状の円環部と、当該円環部の外周側端部から外側に向かって延びる庇部とを備え、前記庇部が前記デフレクタフランジ部を外周側から覆うことを特徴とする請求項１記載の密封装置。
【発明の詳細な説明】
【技術分野】
【０００１】
本発明は、密封装置に関し、特に、車両の駆動系装置や車輪軸受装置等の泥水や雨水、ダスト等に曝され得る環境に置かれる回転体を有する装置に用いられる密封装置に関する。
【背景技術】
【０００２】
従来から、車両の駆動系装置や車輪軸受装置等の泥水や雨水、ダスト等の異物に曝され得る環境に置かれる軸周りの回転体を有する装置においては、回転軸の潤滑維持を図りつつ、外部からの異物の侵入の防止を図るために、密封装置が用いられている。例えば、車両のトランスファー装置や車輪軸受装置においては、ハウジングや外輪と、このハウジングや外輪に回転自在に挿通された軸又は軸に取り付けられた回転体との間を密封するために密封装置が配設されている。
【０００３】
密封装置は、軸に摺接するシールリップによってハウジング又は外輪内の潤滑剤の漏洩の防止を図っている。車両のトランスファー装置や車輪軸受装置は、泥水や雨水、ダスト等の異物に曝され易い環境に置かれるため、異物が外部から侵入しシールリップに達し易い環境に置かれている。
【０００４】
異物が外部から侵入して密封装置のシールリップに達すると、そのシールリップと軸又は回転体との間の摺動部に異物が侵入し、摺動部の摩耗が促進されて当該摺動部が損傷することにより潤滑剤が漏洩し、また、ハウジング又は外輪の内部に異物が侵入してしまう場合がある。このため、従来の密封装置は、外部からの異物の侵入を抑制するための構造を有している（例えば、特許文献１参照。）。
【０００５】
図７は、トランスファー装置に用いられる従来の密封装置１００の概略構成を示すための軸線に沿う部分断面図である。トランスファー装置２００において、ハウジング２０１に形成された開口部２０２に軸２０３が挿通されており、この軸２０３はハウジング２０１内において軸受２０４により軸線ｘを中心として回動自在に支持されている。
【０００６】
軸２０３の外側（矢印ａ方向）の端部には、継ぎ手部材２０５の円筒状の端部であるボス２０６が嵌め込まれて固定されている。継ぎ手部材２０５のボス２０６は、ハウジング２０１の開口部２０２に挿通された状態で取り付けられている。
【０００７】
継ぎ手部材２０５は、図示しない車両のプロペラシャフトに接続される。トランスファー装置２００において、継ぎ手部材２０５のボス２０６とハウジング２０１の開口部２０２との間には環状の空間Ｓが形成されており、この空間Ｓには、軸受２０４の潤滑剤の漏洩を防止するための密封装置１００が嵌着されている。
【０００８】
密封装置１００は、密封装置本体１１０と、デフレクタ１２０とを備えている。密封装置本体１１０は、図７に示すように、ハウジング２０１の開口部２０２の内周面に嵌合される金属製の補強環１１１と、その補強環１１１を覆うように一体に形成されたゴム材からなる弾性体部１１２とを備えている。デフレクタ１２０は環状の部材であり、継ぎ手部材２０５のボス２０６の外周面に嵌合される。
【０００９】
密封装置本体１１０の弾性体部１１２は、シールリップ１１３、ダストリップ１１４、および、サイドリップ１１５を有している。シールリップ１１３は、継ぎ手部材２０５のボス２０６の外周面に当該ボス２０６が摺動可能に当接する部分であり、ハウジング２０１内の潤滑剤の漏洩を抑制する。
【００１０】
ダストリップ１１４は、シールリップ１１３よりも外側（矢印ａ方向）に形成された部分であり、シールリップ１１３側に外部から泥水や雨水、ダスト等の異物が侵入することを抑制する。
【００１１】
サイドリップ１１５は、ダストリップ１１４よりも外周側（矢印ｃ方向）において外側（矢印ａ方向）に向かって延出した部分であり、一定の角度で外側（矢印ａ方向）に向かうに連れて拡径する円錐筒状の形状を有している。このサイドリップ１１５は、その先端部分において、デフレクタ１２０の円盤状の内側に面する摺動面１２１に摺動可能に当接し、外部からの異物の侵入を抑制する。
【先行技術文献】
【特許文献】
【００１２】
【特許文献１】特開２００６−９９３０号公報
【発明の概要】
【発明が解決しようとする課題】
【００１３】
このような従来の密封装置１００においては、サイドリップ１１５がデフレクタ１２００の摺動面１２１に摺接することにより外部からの異物の侵入を抑制しているが、車両の使用環境の多様化に伴って、このような密封装置１００に対しては一段と過酷な環境においても密封性能を維持することが求められている。従来の密封装置１００に対しては、ハウジング２０１の外周側の面を伝ってくる泥水や雨水の侵入等、異物のシールリップ１１３側への侵入を防止する異物遮断性能の更なる向上が求められている。
【００１４】
本発明は、上述の課題に鑑みてなされたものであり、その目的は、泥水や雨水、ダスト等の異物がシールリップ側に侵入することを防止して異物遮断性能を更に向上させ得る密封装置を提供することにある。
【課題を解決するための手段】
【００１５】
上記目的を達成するために、本発明に係る密封装置は、軸線について互いに相対回動可能な外周側部材と当該外周側部材に少なくとも部分的に包囲される環状の内周側部材との間において、前記外周側部材の開口部と前記内周側部材との間の空間を密封する密封装置であって、前記外周側部材に取り付けられる密封装置本体と、前記密封装置本体よりも外側において前記内周側部材に取り付けられる環状のデフレクタとを備え、前記密封装置本体は、前記軸線を中心とする環状の補強環と、当該補強環に取り付けられている、弾性体から形成された前記軸線を中心とする環状の弾性体部とを備え、前記デフレクタは、前記軸線から離れる外周側へ拡がっている環状のデフレクタフランジ部を備え、前記弾性体部は、前記内周側部材に当接する環状のシールリップと、前記デフレクタフランジ部の内周側面と当接するように外側に向かって延びている環状のサイドリップとを有しており、前記補強環は、前記外周側部材の前記開口部に嵌合可能に形成された前記軸線を中心とする円筒状の円筒部と、当該円筒部の外側端部から前記外周側へ向かって広がり、前記外周側部材の外周面を超えて前記外周側へ突出した円環状の堰部とを備えることを特徴とする。
【００１６】
本発明において、前記堰部は、前記外周側部材との間に外側に凹む環状の溝部を形成するようにしてもよい。
【００１７】
本発明において、前記堰部の外周側端部には、前記外周側部材の前記外周面を部分的に覆う円筒状の円筒部を備え、当該円筒部と前記外周面との間に前記溝部が形成されるようにしてもよい。
【００１８】
本発明において、前記堰部の外周側端部には、当該外周側端部から外側に向かって延びる庇部を備え、当該庇部が前記デフレクタフランジ部を外周側から覆うようにしてもよい。
【００１９】
本発明において、前記外周側部材の前記外周面を部分的に覆うように前記堰部の外周側端部に形成された円筒状の円筒部と、当該円筒部の内側の端部から外周側に向かって広がる円環状の円環部と、当該円環部の外周側端部から外側に向かって延びる庇部とを備え、前記庇部が前記デフレクタフランジ部を外周側から覆うようにしてもよい。
【発明の効果】
【００２０】
本発明によれば、泥水や雨水、ダスト等の異物がシールリップ側に侵入することを防止して異物遮断性能を更に向上させ得る密封装置を実現することができる。
【図面の簡単な説明】
【００２１】
【図１】本発明の第１の実施の形態に係るトランスファー装置に用いられる密封装置の概略構成を示すための軸線に沿う断面の部分断面図である。
【図２】本発明の第１の実施の形態に係る密封装置の構成を示すための軸線に沿う断面の部分拡大図である。
【図３】本発明の第２の実施の形態に係るトランスファー装置に用いられる密封装置の概略構成を示すための軸線に沿う断面の部分断面図である。
【図４】本発明の第２の実施の形態に係る密封装置の構成を示すための軸線に沿う断面の部分拡大図である。
【図５】本発明の第３の実施の形態に係るトランスファー装置に用いられる密封装置の概略構成を示すための軸線に沿う断面の部分断面図である。
【図６】本発明の第３の実施の形態に係る密封装置の構成を示すための軸線に沿う断面の部分拡大図である。
【図７】トランスファー装置に用いられる従来の密封装置の概略構成を示すための軸線に沿う断面の部分断面図である。
【発明を実施するための形態】
【００２２】
以下、本発明の第１乃至第３の実施の形態について、図面を参照しながら詳細に説明する。
【００２３】
＜第１の実施の形態＞
図１は、本発明の第１の実施の形態に係る密封装置１の概略構成を示すための軸線に沿う部分断面図である。なお、図１は、図４を左右反転した状態である。図２は、本発明の第１の実施の形態に係る密封装置の構成を示すための軸線に沿う断面の部分拡大図である。密封装置１が嵌着されるトランスファー装置２００の構成は従来と共通しており、従来の密封装置１００に代えて第１の実施の形態に係る密封装置１が嵌着されている点が異なる。この密封装置１は、トランスファー装置２００のハウジング２０１と、このハウジング２０１の開口部２０２に回転自在に挿通された継ぎ手部材２０５との間の空間Ｓを密封するために配設されている。
【００２４】
以下、説明の便宜上、軸線ｘ方向において矢印ａ方向を外側とし、矢印ｂ方向を内側とする。より具体的には、外側とは、非密封対象物の側であり、密封対象物が存在しないようにする大気側であり、内側とは密封対象物の側であり、オイル等の密封対象物に面する側である。また、軸線ｘに垂直な方向（以下、これを「径方向」ともいう。）において、軸線ｘから離れる方向（図１の矢印ｃ方向）を外周側とし、軸線ｘに近づく方向（図１の矢印ｄ方向）を内周側とする。
【００２５】
図１および図２に示すように、密封装置１は、密封装置本体１０と、デフレクタ４０とを備えている。密封装置本体１０は、軸線ｘを中心とする環状の弾性体からなる弾性体部２０と、軸線ｘを中心とする環状の金属製の補強環３０とを備えている。弾性体部２０は、成形型を用いて架橋（加硫）成型によって成形される。この架橋成型の際に、補強環３０は成形型の中に配置され、弾性体部２０が架橋接着により補強環３０に接着され、弾性体部２０が補強環３０と一体的に成形される。
【００２６】
弾性体部２０は、補強環３０に一体に取り付けられている。弾性体部２０の弾性体としては、例えば各種ゴム材がある。ゴム材は、例えば、ニトリルゴム（ＮＢＲ）、水素添加ニトリルゴム（Ｈ−ＮＢＲ）、アクリルゴム（ＡＣＭ）、フッ素ゴム（ＦＫＭ）等の合成ゴムである。
【００２７】
弾性体部２０は、軸線ｘから離れる外周側（矢印ｃ方向）に延びる中空円盤状の円盤部２１、円盤部２１の外周側の端部（以下、これを「外周側端部」ともいう。）から内側（矢印ｂ方向）へ延び屈曲して戻る後方カバー２２を備えている。円盤部２１は、シールリップ１１３、ダストリップ１１４、および、サイドリップ１１５を備えている。
【００２８】
シールリップ１１３は、弾性体部２０における円盤部２１の内周側（矢印ｄ方向）の端部から軸線ｘに沿って内側（矢印ｂ方向）に向かって延びる部分であり、内側（矢印ｂ方向）の端部に、軸線ｘに沿う断面形状が内周側（矢印ｄ方向）に向かって凸の楔形状の環状のリップ先端部１１３ａを有している。シールリップ１１３の外周側には、リップ先端部１１３ａと背向する位置に、ガータスプリング１１３ｂが嵌着されている。ガータスプリング１１３ｂは、シールリップ１１３のリップ先端部１１３ａを径方向において内周側に付勢して、リップ先端部１１３ａにボス２０６に対する所定の大きさの緊迫力を与えている。リップ先端部１１３ａは、ボス２０６の周面に当接して、ハウジング２０１と継ぎ手部材２０５との間の密封を図っている。
【００２９】
ダストリップ１１４は、シールリップ１１３よりも外側（矢印ａ方向）に形成された部分であり、その先端部が継ぎ手部材２０５のボス２０６の周面に当接され、シールリップ１１３側に外部から泥水や雨水、ダスト等の異物が侵入することを抑制する。
【００３０】
サイドリップ１１５は、ダストリップ１１４よりも外周側（矢印ｃ方向）において外側（矢印ａ方向）に向かって延出した部分であり、一定の角度で外側（矢印ａ方向）に向かうに連れて拡径する円錐筒状の形状を有している。このサイドリップ１１５は、その先端部分において、デフレクタ４０における中空円盤状のデフレクタフランジ部４０ｂの内側（矢印ｂ方向）の面（以下、これを「内面」ともいう。）４０ｃに摺動可能に当接し、外部からの異物の侵入を抑制する。
【００３１】
後方カバー２２は、断面略逆コ字状の形状を呈しており、補強環３０の屈曲部３２（後述する）を内側（矢印ｂ方向）から覆う部分である。後方カバー２２は、空間Ｓに密封装置１が圧入された際に、外周側（矢印ｃ方向）の面（以下、これを「外周面」ともいう。）がハウジング２０１の内周側の面（以下、これを「内周面」ともいう。）に密着されるように径方向の厚さが設定されている。
【００３２】
補強環３０は、断面略逆Ｓ字状の形状を呈しており、金属材により形成されている。金属材としては、例えば、ステンレス鋼やＳＰＣＣ（冷間圧延鋼）である。補強環３０は、例えばプレス加工や鍛造によって製造される。
【００３３】
補強環３０は、基部３１、屈曲部３２、内周側円筒部３３、堰部３４、および、外周側円筒部３５を備えている。基部３１は、弾性体部２１の内周側端部の近傍から外周側（矢印ｃ方向）に向かって広がる円環板状の部分である。屈曲部３２は、基部３１の外周側端部から内側（矢印ｂ方向）に延びた後に屈曲して戻る断面略Ｃ字状の部分であり、補強環３０を径方向（矢印ｃｄ方向）に押し広げるバネ性を有している。
【００３４】
内周側円筒部３３は、屈曲部３２の外周側端部から軸線ｘに沿って外側（矢印ａ方向）に延びる円筒状の部分であり、屈曲部３２のバネ性により、ハウジング２０１と継ぎ手部材２０５のボス２０６との間の空間Ｓに圧入して嵌め込まれている。これにより、内周側円筒部３３の外周面がハウジング２０１の開口部２０２が形成されている内周面に密着され、補強環３０がハウジング２０１に嵌着される。
【００３５】
堰部３４は、円筒部３３の外側（矢印ａ方向）の端部（以下、これを「外側端部」ともいう。）から外周側（矢印ｃ方向）に向かって広がる円環板状の部分であり、ハウジング２０１の外周面２０１ａを超えて外周側（矢印ｃ方向）へ突出している。
【００３６】
本願発明における円筒部としての外周側円筒部３５は、堰部３４の外周側端部から内側（矢印ｂ方向）に向かって延びた円筒状の部分であり、ハウジング２０１の外周面２０１ａと対向するように配置されている。この結果、外周側円筒部３５、堰部３４、およびハウジング２０１の外周面２０１ａとの間には、外側（矢印ａ方向）に凹む環状の溝部３６が形成されている。
【００３７】
なお、この場合、外周側円筒部３５は、堰部３４に対して例えば約８５度の角度αで内側（矢印ｂ方向）へ傾斜されている。ただし、これに限るものではなく、堰部３４に対して約１度から約９０度の角度αで内側（矢印ｂ方向）へ傾斜されていてもよい。ただし、外周側円筒部３５は、９０度を超える角度αで内側（矢印ｂ方向）へ傾斜されることのないように形成されている。
【００３８】
デフレクタ４０は、継ぎ手部材２０５のボス２０６の周面に取り付けられた環状の部材である。デフレクタ４０は、具体的には、断面形状が略Ｌ字状を呈し、内周側において軸線ｘ方向に延びる円筒状の部分である円筒部４０ａと、その円筒部４０ａの内側（矢印ｂ方向）の端部から外周側に向かって広がる円環板状の部分であるデフレクタフランジ部４０ｂとを備えている。
【００３９】
デフレクタフランジ部４０ｂは、弾性体部２０のサイドリップ１１５の先端部分が摺動可能に当接する内面４０ｃを有している。また、デフレクタフランジ部４０ｂは、その外周側端部４０ｅが弾性体部２０の円筒部３３の外側端部の近傍まで外周側（矢印ｃ方向）へ向かって延びている。すなわち、補強環３０とデフレクタ４０との間には微少な隙間４５が存在し、この隙間４５がラビリンスシールを形成する。
【００４０】
上述の構成を有する密封装置１によれば、補強環３０の堰部３４がハウジング２０１の外周面２０１ａを超えて更に外周側（矢印ｃ方向）へ突出し、かつ、堰部３４の外周側端部から内側（矢印ｂ方向）に延びた外周側円筒部３５が当該外周面２０１ａと対向して配置されている。これにより、外周面２０１ａを伝わってきた泥水や雨水等の水分Ｗが堰部３４により堰き止められるとともに、溝部３６に押し寄せられた水分Ｗが外周側円筒部３５に沿って反転して外側（矢印ｂ方向）に戻ることになる。これにより、密封装置１は、水分Ｗが堰部３４を乗り越える危険性を大幅に低減することができる。
【００４１】
この場合、外周側円筒部３５が堰部３４に対して約８５度の角度αに傾斜されているが、９０度を超えてそれ以上大きく傾斜されていないため、ハウジング２０１の外周面２０１ａを伝わってきた水分Ｗが外周側円筒部３５を容易に乗り越える危険性が予め低減されている。
【００４２】
仮に、水分Ｗが堰部３４および外周側円筒部３５を乗り越えた場合であっても、補強環３０とデフレクタ４０との間には微少な隙間４５によるラビリンスシールが形成されているため、水分Ｗが密封装置１の内部に侵入することを防止することができ、異物に対する密封性能を更に向上させることができる。
【００４３】
さらに、補強環３０とデフレクタ４０との間の微少な隙間４５から水分Ｗが侵入した場合であっても、密封装置１はサイドリップ１１５がデフレクタ４０のデフレクタフランジ部４０に当接され、水分Ｗの侵入経路を遮断しているので、異物に対する密封性能を更に向上させることができる。
【００４４】
このように、本発明の第１の実施の形態に係る密封装置１によれば、泥水や雨水、ダスト等の異物がシールリップ側に侵入することを防止して異物遮断性能を更に向上させることができる。
【００４５】
＜第２の実施の形態＞
図３は、本発明の第２の実施の形態に係る密封装置の概略構成を示すための軸線に沿う断面の部分断面図である。また、図４は、本発明の第２の実施の形態に係る密封装置の構成を示すための軸線に沿う断面の部分拡大図である。第２の実施の形態に係る密封装置５０は、上述した第１の実施の形態における密封装置１の補強環３０に換えて補強環６０を用いた点が異なる。以下、上述した密封装置１に対して、同一の又は類似する構成については同一の符号を付してその説明を省略し、異なる部分のみ説明する。
【００４６】
図３および図４に示すように、密封装置５０は、上述した密封装置１の補強環３０とは異なる形状の補強環６０を有していることを特徴とする。補強環６０は、堰部３４の外周側端部から外側（矢印ａ方向）に向かって延びた円筒状の部分である庇部６１を有している。
【００４７】
この庇部６１は、デフレクタ４０におけるデフレクタフランジ部４０ｂの外周側端部４０ｅを外周側（矢印ｃ方向）から覆うように堰部３４の外周側端部から外側（矢印ａ方向）に向かって延出している。具体的には、デフレクタフランジ部４０ｂの外面４０ｄから庇部６１の外側端部６１ａまでの距離Ｌ１は、少なくともＬ１＞０の関係を満たしている。すなわち、距離Ｌ１が大きければ大きいほど、庇部６１の外側端部６１ａがデフレクタフランジ部４０ｂの外周側端部４０ｅを外側（矢印ａ方向）に向かって超える程度が大きくなる。
【００４８】
なお、庇部６１は、デフレクタ４０の円筒部４０ａと対向するように配置されており、堰部３４に対して外側（矢印ａ側）に約８５度の角度βで外側（矢印ａ方向）へ傾斜されている。ただし、これに限るものではなく、堰部３４に対して外側（矢印ａ方向）に傾斜されており、かつ、デフレクタフランジ部４０ｂの外周側端部４０ｅを外周側（矢印ｃ方向）から覆うことができれば、角度βは９０度未満であっても、９０度以上であってもよい。
【００４９】
このような構成を有する密封装置５０によれば、ハウジング２０１の外周面２０１ａを伝わってきた泥水や雨水等の水分Ｗが堰部３４により堰き止められるとともに、庇部６１の傾斜により水分Ｗが乗り越える危険性を大幅に低減する。また、水分Ｗが庇部６１を乗り越えた場合であっても、デフレクタフランジ部４０ｂの外周側端部４０ｅを当該庇部６１が覆っているので、庇部６１を乗り越えた水分Ｗがデフレクタフランジ部４０ｂよりも外側（矢印ａ方向）に流れ落ちることになる。これにより、密封装置５０は、水分Ｗが隙間４５からサイドリップ１１５側へ流れ込む危険性を大幅に低減することができる。
【００５０】
このように、本発明の第２の実施の形態に係る密封装置５０によれば、第１の実施の形態における密封装置１と同様に、泥水や雨水、ダスト等の異物がシールリップ側に侵入することを防止して異物遮断性能を更に向上させることができる。
【００５１】
＜第３の実施の形態＞
図５は、本発明の第３の実施の形態に係る密封装置の概略構成を示すための軸線に沿う断面の部分断面図である。また、図６は、本発明の第３の実施の形態に係る密封装置の構成を示すための軸線に沿う断面の部分拡大図である。第３の実施の形態に係る密封装置７０は、上述の密封装置５０の補強環６０に換えて補強環８０を用いた点が異なる。以下、上述した第２の実施の形態における密封装置５０に対して、同一の又は類似する構成については同一の符号を付してその説明を省略し、異なる部分のみ説明する。
【００５２】
図５および図６に示すように、密封装置７０は、上述した密封装置５の補強環６０とは異なる形状の補強環８０を有していることを特徴とする。補強環８０は、堰部３４の外周側端部から外側（矢印ａ方向）に向かって延びた円筒状の部分である外周側円筒部８１、その外周側円筒部８１の内側（矢印ｂ方向）の端部から外周側に向かって広がる円環板状の部分である円環部８２、その円環部８２の外周側（矢印ｃ方向）の端部から外側（矢印ａ）に向かって延びた円筒状の部分である庇部８３を備えている。
【００５３】
ここで、本発明における円筒部としての外周側円筒部８１は、第１の実施の形態における補強環３０の外周側円筒部３５と同様の構成および機能を有している。また、庇部８３は、第２の実施の形態における補強環６０の庇部６１と同様の構成および機能を有している。さらに、外周側円筒部８１、堰部３４、およびハウジング２０１の外周側面２０１ａとの間には、外側（矢印ａ方向）に凹む環状の溝部８５が形成されている。この溝部８５は、第１の実施の形態における溝部３６と同様である。
【００５４】
このような構成を有する密封装置７０によれば、外周面２０１ａを伝わってきた水分Ｗが堰部３４により堰き止められるとともに、溝部８６に押し寄せられた水分Ｗが外周側円筒部８１に沿って反転して戻る。また、密封装置７０は、外周側円筒部８１および庇部８３を径方向に２段重ねた背の高い構造を有していることにより、相当な量の水分Ｗでなければ庇部８３を乗り越えることはできず、水分Ｗが堰部３４を乗り越える危険性を大幅に低減することができる。
【００５５】
さらに、密封装置７０は、たとえ、庇部６１を水分Ｗが乗り越えた場合であっても、デフレクタフランジ部４０ｂの外周側端部４０ｅを当該庇部６１が覆っているので、庇部６１を乗り越えた水分Ｗがデフレクタフランジ部４０ｂよりも外側（矢印ａ方向）に流れ落ちる。これにより、密封装置７０は、水分Ｗが隙間４５からサイドリップ１１５側へ流れ込む危険性を大幅に低減することができる。
【００５６】
このように、本発明の第３の実施の形態に係る密封装置７０によれば、第１、第２の実施の形態における密封装置１、５０と同様に、泥水や雨水、ダスト等の異物がシールリップ側に侵入することを防止して異物遮断性能を更に向上させることができる。
【００５７】
＜他の実施の形態＞
以上、本発明の第１乃至第３の実施の形態について説明したが、本発明は第１乃至第３の実施の形態に係る密封装置１、５０、７０に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における、各構成要素の形状、材料、配置、サイズ等は、本発明の具体的使用態様によって適宜変更され得る。
【００５８】
例えば、第１の実施の形態における補強環３０の外周側円筒部３５を設け、外周側円筒部３５、堰部３４、およびハウジング２０１の外周面２０１ａとの間に環状の溝部３６が形成されているのではなく、外周側円筒部３５を設けずに、堰部３４の内側（矢印ｂ方向）の面に対して、外側に凹の環状の溝部を直接形成するようにしてもよい。これは、第３の実施の形態においても、補強環８０の外周側円筒部８１を設けずに、堰部３４の内側（矢印ｂ方向）の面に対して、外側に凹の環状の溝部を直接形成するようにしてもよい。
【００５９】
また、本発明の実施の形態に係る密封装置１、５０、７０は、トランスファー装置２００において用いられるものとしたが、本発明に係る密封装置は、これに限られるものではなく、同種の機構、一般機産業機械や農業機械、建築機械等の各種汎用機械においても適用することができる。
【符号の説明】
【００６０】
１、５０、７０  密封装置
１０  密封装置本体
２０  弾性体部
２１  円盤部
２２  後方カバー
３０、６０、８０  補強環
３１  基部
３２  屈曲部
３３  内周側円筒部
３４  堰部
３５、８１  外周側円筒部（円筒部）
３６、８５  溝部
４０  デフレクタ
４０ａ  円筒部
４０ｂ  デフレクタフランジ部
４０ｃ  内面
４０ｄ  外面
４０ｅ  外周側端部
４５  隙間（ラビリンスシール）
６１、８３  庇部
６１ａ  外側端部
８２  円環部
１１３  シールリップ
１１３ａ  リップ先端部
１１３ｂ  ガータスプリング
１１４  ダストリップ
１１５  サイドリップ
２００  トランスファー装置
２０１  ハウジング
２０１ａ  外周面
２０２  開口部
２０５  継ぎ手部材
２０６  ボス
Ｓ  空間
Ｗ  水分
Ｌ１  距離
α、β  角度
【図１】
2018028326.tif 000003
【図２】
2018028326.tif 000004
【図３】
2018028326.tif 000005
【図４】
2018028326.tif 000006
【図５】
2018028326.tif 000007
【図６】
2018028326.tif 000008
【図７】
2018028326.tif 000009